(57)【特許請求の範囲】
【請求項１】
露光機構が取り付けられるとともに組立時に写真フイルムが装填される本体基部と、この本体基部の上部に回動自在に配置され、外周に歯列を形成したフイルム巻き上げ用の巻き上げノブと、前記巻き上げノブの歯列に噛み合う方向に自身の弾性によって付勢され、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えたレンズ付きフイルムユニットにおいて、
前記逆転防止爪をこの先端部が巻き上げノブの歯列に係合する所定の位置よりも巻き上げノブの中心側に寄った位置になるように本体基部に一体成形によって設けておき、
前記露光機構を構成する一部品と一体に設けられ、前記露光機構を本体基部に取り付けた際に本体基部に設けられた係止手段に係止されるとともに逆転防止爪の前記付勢に抗して逆転防止爪の先端部を巻き上げノブの中心から離れる方向に変位させて所定の位置に位置決めする位置決め部材と、
前記逆転防止爪と一体に設けられ、巻き上げノブの歯列以外の部分に当接されることにより巻き上げノブを正転操作した際に生じる逆転防止爪の振動音を阻止する消音片とを備えたことを特徴とするレンズ付きフイルムユニット。
【請求項２】
露光機構が取り付けられるとともに組立時に写真フイルムが装填される本体基部と、この本体基部の上部に回動自在に配置され、外周に歯列を形成したフイルム巻き上げ用の巻き上げノブと、前記巻き上げノブの歯列に噛み合う方向に自身の弾性によって付勢され、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えたレンズ付きフイルムユニットにおいて、
前記逆転防止爪をこの先端部が巻き上げノブの歯列に係合する所定の位置よりも巻き上げノブの中心側に寄った位置になるように本体基部に一体成形によって設けておき、
前記本体基部に装填された写真フイルムを光密に閉じる後カバーと一体に設けられた係合爪であって、前記後カバーを本体基部に取り付けた後、前記逆転防止爪の前記付勢に抗して逆転防止爪の先端部が巻き上げノブの中心から離れる方向に変位させて係合することにより、前記所定の位置に逆転防止爪の先端部を位置決めする位置決め部材と、
前記逆転防止爪と一体に設けられ、巻き上げノブの歯列以外の部分に当接されることにより巻き上げノブを正転操作した際に生じる逆転防止爪の振動音を阻止する消音片とを備えたことを特徴とするレンズ付きフイルムユニット。
【請求項３】
露光機構が取り付けられるとともに組立時に写真フイルムが装填される本体基部と、この本体基部の上部に回動自在に配置され、外周に歯列を形成したフイルム巻き上げ用の巻き上げノブと、前記巻き上げノブの歯列に噛み合う方向に自身の弾性によって付勢され、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えたレンズ付きフイルムユニットにおいて、
前記逆転防止爪をこの先端部が巻き上げノブの歯列に係合する所定の位置よりも巻き上げノブの中心側に寄った位置になるように本体基部に装填された写真フイルムを光密に閉じる後カバーに一体成形によって設けておき、
前記本体基部と一体に設けられた突起であって、前記後カバーを本体基部に装着した際に逆転防止爪の前記付勢に抗して逆転防止爪を押圧，変位させて所定の位置に位置決めする位置決め部材と、
前記逆転防止爪と一体に設けられ、巻き上げノブの歯列以外の部分に当接されることにより巻き上げノブを正転操作した際に生じる逆転防止爪の振動音を阻止する消音片とを備えたことを特徴とするレンズ付きフイルムユニット。
【請求項４】
前記位置決め部材には、巻き上げノブを正転操作した際に生じる逆転防止爪との衝突音を軽減する弾性部材を装着したことを特徴とする請求項１ないし３いずれか記載のレンズ付きフイルムユニット。
【発明の詳細な説明】
【０００１】
【発明の属する技術分野】
本発明は、レンズ付きフイルムユニットに関し、さらに詳しくは、巻き上げノブの巻き上げ方向への正転操作時に生じる不快音を低減させたレンズ付きフイルムユニットの構造に関するものである。
【０００２】
【従来の技術】
誰でも簡単に撮影を楽しめるように、簡単な撮影機構を備え、そして国際標準規格ＩＳＯの１００７−１９７９年で規定された１３５タイプのパトローネ付きの写真フイルムを予め装填したレンズ付きフイルムユニット（以下、「フイルムユニット」と称す）が良く知られている。
【０００３】
フイルムユニットは、パトローネ付き写真フイルムを収納する本体基部と、この本体基部の前面に被着される前カバーと、本体基部の背面に被着され、これらの間で写真フイルムを光密にする後カバーとから構成され、本体基部には、パトローネ収納室とフイルム収納室とが一体に設けられている。パトローネ収納室にはパトローネが、またフイルム収納室にはパトローネから写真フイルムを引き出してロール状に巻き取ったフイルムロールがそれぞれ装填されており、撮影後に行われる巻き上げノブのフイルム巻き上げ操作によって１コマ分ずつ写真フイルムを巻き上げて露光済みのコマをパトローネの内部に巻き取る。
【０００４】
このようなフイルム巻き上げ機構では、フイルム巻き上げ操作の際に、巻き上げノブをフイルム巻き上げ方向とは逆の方向に回転操作すると、露光済みのコマがパトローネから引き出されてしまうため、巻き上げノブの逆転操作を阻止する逆転操作防止機構が設けられている。この機構は、巻き上げノブの外周に形成された歯列と、歯列に弾性自在に係合する逆転防止爪とから構成されており、これらはプラスチック材料で形成されている。逆転防止爪は、巻き上げノブのフイルム巻き上げ方向への正転操作の際には弾性変形してその回転を許容し、また、巻き上げノブの逆転操作の際には歯列の谷に入り込んでその回転を阻止する。
【０００５】
ところが、このような逆転操作防止機構では、巻き上げノブを回転操作すると不快な音が生じる。この音は、逆転防止爪が巻き上げノブの歯で押されて弾性変形し、歯の移動に伴って元の位置に復元した際に次の歯に衝突することと、このときに逆転防止爪が振動することにより生じる。
【０００６】
そこで、本出願人は、巻き上げノブの歯列以外または巻き上げノブ以外の他部品に当接する消音片を逆転防止爪と一体に設けた発明を提案した（特願平７−１７８４８号）。これにより、逆転防止爪の弾性変形に伴って消音片の先端が巻き上げノブ，または他部品の上で摺動するから、逆転防止爪の振動が最小限に抑えられ、不快な音を減少させることができる。
【０００７】
【発明が解決しようとする課題】
上記消音片は逆転防止爪の振動を抑えることはできるが、逆転防止爪の先端部が次の歯に衝突する際に生じるパチパチという衝突音を抑えるには不十分であることが分かった。この衝突音を小さくするには、逆転防止爪の先端部が巻き上げノブの歯と係合する係合量を可能なかぎり小さくするのが有効であるが、この係合量を小さくし過ぎると、巻き上げノブを逆転操作した際に逆転防止爪の先端部が歯列の谷に入り込まずに巻き上げノブの逆転操作を許容してしまうという逆転防止爪の本来の機能を損なう結果となる。
【０００８】
逆転防止機能を損なうことなく、前記係合量を小さくするには、逆転防止爪の先端部と巻き上げノブの歯とが所定の位置関係に正確に組み立てられなければならないから、巻き上げノブ，巻き上げノブを挿通するパトローネ収納室の上壁開口，逆転防止爪の先端部がそれぞれ高精度に成形されている必要がある。ところが、特に、上記逆転防止爪の先端部は、例えば幅約１ｍｍ，厚み約０．２ｍｍ前後というきわめて小さいものであるため、成形時に完全に型から離型せずに型側に樹脂が残る，いわゆる“とられ”が発生しやすいという成形上の問題があり、実現が困難であった。
【０００９】
本発明は、このような問題点を解決するためになされたものであり、逆転防止爪の先端部の成形精度をゆるくしても、逆転防止爪の先端部と巻き上げノブの歯との位置関係を正確に組み立てることができるレンズ付きフイルムユニットを提供することを目的とする。
【００１０】
【課題を解決するための手段】
上記目的を達成するために、本発明のレンズ付きフイルムユニットは、露光機構が取り付けられるとともに組立時に写真フイルムが装填される本体基部と、この本体基部の上部に回動自在に配置され、外周に歯列を形成したフイルム巻き上げ用の巻き上げノブと、前記巻き上げノブの歯列に噛み合う方向に自身の弾性によって付勢され、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えたレンズ付きフイルムユニットにおいて、前記逆転防止爪をこの先端部が巻き上げノブの歯列に係合する所定の位置よりも巻き上げノブの中心側に寄った位置になるように本体基部に一体成形によって設けておき、前記露光機構を構成する一部品と一体に設けられ、前記露光機構を本体基部に取り付けた際に本体基部に設けられた係止手段に係止されるとともに逆転防止爪の前記付勢に抗して逆転防止爪の先端部を巻き上げノブの中心から離れる方向に変位させて所定の位置に位置決めする位置決め部材と、前記逆転防止爪と一体に設けられ、巻き上げノブの歯列以外の部分に当接されることにより巻き上げノブを正転操作した際に生じる逆転防止爪の振動音を阻止する消音片とを備えたものである。
【００１１】
また、露光機構が取り付けられるとともに組立時に写真フイルムが装填される本体基部と、この本体基部の上部に回動自在に配置され、外周に歯列を形成したフイルム巻き上げ用の巻き上げノブと、前記巻き上げノブの歯列に噛み合う方向に自身の弾性によって付勢され、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えたレンズ付きフイルムユニットにおいて、前記逆転防止爪をこの先端部が巻き上げノブの歯列に係合する所定の位置よりも巻き上げノブの中心側に寄った位置になるように本体基部に一体成形によって設けておき、前記本体基部に装填された写真フイルムを光密に閉じる後カバーと一体に設けられた係合爪であって、前記後カバーを本体基部に取り付けた後、前記逆転防止爪の前記付勢に抗して逆転防止爪の先端部が巻き上げノブの中心から離れる方向に変位させて係合することにより、前記所定の位置に逆転防止爪の先端部を位置決めする位置決め部材と、前記逆転防止爪と一体に設けられ、巻き上げノブの歯列以外の部分に当接されることにより巻き上げノブを正転操作した際に生じる逆転防止爪の振動音を阻止する消音片とを備えたものである。
【００１２】
また、露光機構が取り付けられるとともに組立時に写真フイルムが装填される本体基部と、この本体基部の上部に回動自在に配置され、外周に歯列を形成したフイルム巻き上げ用の巻き上げノブと、前記巻き上げノブの歯列に噛み合う方向に自身の弾性によって付勢され、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えたレンズ付きフイルムユニットにおいて、前記逆転防止爪をこの先端部が巻き上げノブの歯列に係合する所定の位置よりも巻き上げノブの中心側に寄った位置になるように本体基部に装填された写真フイルムを光密に閉じる後カバーに一体成形によって設けておき、前記本体基部と一体に設けられた突起であって、前記後カバーを本体基部に装着した際に逆転防止爪の前記付勢に抗して逆転防止爪を押圧，変位させて所定の位置に位置決めする位置決め部材と、前記逆転防止爪と一体に設けられ、巻き上げノブの歯列以外の部分に当接されることにより巻き上げノブを正転操作した際に生じる逆転防止爪の振動音を阻止する消音片とを備えたものである。また、前記位置決め部材には、巻き上げノブを正転操作した際に生じる逆転防止爪との衝突音を軽減する弾性部材を装着したものである。
【００１３】
【発明の実施の形態】
本発明のフイルムユニット１１は、図２に示すように、ユニット本体１２を外ケース１３で包んだ構成となっている。外ケース１３には、撮影レンズ１４，シャッタボタン１５，巻き上げノブ１６，ファインダ対物窓１７，及び枚数表示窓１８等を外部に露呈させるための開口が設けられており、この外ケース１３をユニット本体１１に被せたままの状態で撮影操作が行えるようになっている。
【００１４】
撮影を行う場合には、巻き上げノブ１６を同図に示す矢印方向（反時計方向）に回転（正転）させて写真フイルムを巻き上げる。この操作は、巻き上げノブ１６の回転が禁止するまで行う。この巻き上げノブ１６の外周には、歯列１６ａが形成されている。そしてシャッタボタン１５を押下することにより撮影が行える。
【００１５】
ユニット本体１２は、図３に示すように、本体基部２０，後カバー２１，露光ユニット２２，及び前カバー２３とからなる。本体基部２０には、国際標準規格（ＩＳＯ：１００７−１９７９年版）で規定された１３５タイプの写真フイルムパトローネ２４が装填される。また、露光ユニット２２には、撮影レンズ１４，シャッタ機構２５，フイルムカウンタ機構２６，ファインダ２７，及びフイルム巻き止め機構２８等から構成され、この上部には透明プラスチック製の保持板２９が組み付けられている。
【００１６】
保持板２９は、カウンタ表示板３０等の軸受けやカウンタ表示板３０に刻印された撮影可能なフイルム残数を拡大して見やすくする拡大レンズ３１等の他、後述する逆転防止爪を所定の位置に位置決めする位置決め部材３２が一体に形成されている。この位置決め部材３２は、細長いアーム部３２ａと、この先端部に垂直に突出形成されたピン３２ｂと、この先端部を除く周面に被せられた弾性ゴムチューブ３３とからなる（図４参照）。
【００１７】
後カバー２１は、本体基部２０の背後に係止爪による爪係合によって取り付けられた後に超音波溶着にて一体化され、本体基部２０との間で写真フイルムパトローネ２４を光密に収納する。前カバー２３は、本体基部２０の前面に着脱自在に取り付けられる。
【００１８】
写真フイルムパトローネ２４は、写真フイルム２４ａと、この写真フイルム２４ａを光密に収納するパトローネ２４ｂとからなる。このパトローネ２４ｂは、写真フイルム２４ａの末端が固定されたスプール２４ｃを備え、スプール２４ｃが回転されたときに、スプール２４ｃの外周に露光済みの写真フイルム２４ａを巻き取る。
【００１９】
本体基部２０には、パトローネ２４ｂを収納するためのパトローネ収納室３５と、パトローネ２４ｂから引き出した未露光の写真フイルム２４ａのロール２４ｄを収納するためのフイルム収納室３６とが一体成形されている。これらの底は開口になっており、後カバー２１に設けたプルトップ式の底蓋３８，３９によってそれぞれ塞がれる。
【００２０】
巻き上げノブ１６は、パトローネ収納室３５の上部に回動自在に配置され、外部操作が可能なように一部が後カバー２１の開口４１から露呈している。そして、パトローネ２４ｂが装填された際には巻き上げノブ１６の軸がパトローネ収納室３５の上壁開口３５ａ（図１参照）を通してパトローネ２４ｂのスプール２４ｃに係合する。
【００２１】
パトローネ収納室３５とフイルム収納室３６との間には、暗箱４５が一体に設けられている。暗箱４５の前面には、開口４６が設けられており、また背面側にはアパーチャが設けられている。暗箱４５の前面には、露光ユニット２２が着脱自在に取り付けられる。アパーチャには、開口４６を介して露光ユニット２２の撮影レンズ１４を透過した被写体光が導かれる。なお、後カバー２１には、ファインダー接眼窓４７が一体に設けられている。前カバー２３には、ファインダ対物窓１７の他に、シャッタボタン１５等が一体に設けられている。
【００２２】
巻き上げノブ１６をフイルム巻き上げ方向に回転させて巻き上げ操作を行うと、パトローネ２４ｂのスプール２４ｃが回動し、写真フイルム２４ａが移送される。この写真フイルム２４ａには、パーフォレーションが設けられており、パーフォレーションの８個分がフイルム１コマに相当する。このパーフォレーションには、８枚歯の従動スプロケットが噛合しており、従動スプロケットの一回転で写真フイルム２４ａが丁度１コマ分送られる。この間にシャッタ機構２５のチャージが行われる。
【００２３】
フイルム１コマ分だけ移送するとこれに連動してフイルム巻き止め機構２８が作動する。フイルム巻き止め機構２８の作動は、従動スプロケットの回転を禁止すると同時に、係止爪２８ａが巻き上げノブ１６の歯列１６ａに係合して巻き上げノブ１６のフイルム巻き上げ方向への回転操作を禁止する。シャッタボタン１５が押下操作されると、シャッター機構２５が作動する。この作動に連動してフイルム巻き止め機構２８の作動が解除される。これにより、従動スプロケットと巻き上げノブ１６との回転が可能となり、次回の巻き上げ操作が許容される。写真フイルム２４ａの最終コマに撮影を終えた後の巻き上げノブ１６を回転してゆく過程では、従動スプロケットがフリーになり、この状態で巻き上げノブ１６を回転させても巻き止めがかからず、したがって、写真フイルム２４ａの全てをパトローネ２４ｂの内部に巻き込むことができる。
【００２４】
パトローネ収納室３５の上壁近傍の本体基部２０には、フイルム巻き上げ操作の際にフイルム巻き上げ方向とは逆の方向に回転操作されるのを防止する逆転防止爪５０が一体に設けられている。この逆転防止爪５０は、図４に示すように、本体基部２０からＬ字状に立ち上げられ、その先端部５０ａが、図１（Ａ）に示すように、後述する所定の位置より上壁開口３５ａ側にやや寄った位置になるように形成されている。そして、パトローネ収納室３５の逆転防止爪５０近傍の上壁には、露光ユニット２２を本体基部２０に取り付けた際にピン３２ｂの先端部を受け入れ、位置決め部材３２を所定位置に規制する規制穴３５ｂが形成されている。
【００２５】
露光ユニット２２を本体基部２０に取り付け、ピン３２ｂの先端部を規制穴３５ｂに嵌入させると、位置決め部材３２が本体基部２０の所定位置に係止される。これに伴って、図１（Ｂ）及び図４に示すように、位置決め部材３２の弾性ゴムチューブ３３が逆転防止爪５０を側方から押圧し、逆転防止爪５０の先端部５０ａ側を上壁開口３５ａから離れる方向に変位させる。これにより、逆転防止爪５０の先端部５０ａは、巻き上げノブ１６の逆転操作時には歯列１６ａの谷に入り込んでその回転を阻止する逆転防止機能はそのまま保持しながら、歯列１６ａの歯との係合量Ｄが小さい所定の位置に位置決めされる。この結果、巻き上げノブ１６を巻き上げ操作して逆転防止爪５０の先端部５０ａが歯列１６ａの歯を乗り越えた後、次の歯に叩きつけられて発生される不快なパチパチ音が小さくなる。なお、所定の位置に位置決めされた逆転防止爪５０は、自身の弾性によって位置決め部材３２側に付勢されており、巻き上げノブ１６を操作しないときには、常に弾性ゴムチューブ３３に当接された所定の位置に復帰される。
【００２６】
逆転防止爪５０には、消音片５１が一体に形成されている。この消音片５１は、逆転防止爪５０の先端部５０ａに寄った位置からＬ字状に立ち上げられて弾性自在に形成されており、その先端部５１ａが巻き上げノブ１６の上面１６ｂで、且つ回転中心から外れた位置に、逆転防止爪５０が振動する方向に対して直交する上方から押さえ付けるようにして設けられており、逆転防止爪５０の先端部５０ａが歯列１６ａの各歯を乗り越える時に逆転防止爪５０が弾性変形，復元する振動を低減し、不快音を低減させる。巻き上げノブ１６の上面１６ｂが平滑面となっているため、ここに消音片５１の先端部５１ａを押し付けて当接させても、フイルム巻き上げ操作時に巻き上げノブ１６の回転操作に負担をかけることはない。
【００２７】
本体基部２０に露光ユニット２２，前カバー２３を取り付けてから写真フイルムパトローネ２４を装填し、その後に後カバー２１を取り付けて超音波溶着し、最後に外ケース１３で覆うことでフイルムユニット１１が完成する。なお、本体基部２０に後カバー２１を超音波溶着する部位は、消音片５１や逆転防止爪５０が巻き上げノブ１６に溶着されないように、例えば本体基部２０の左右の側部と底部のみとする。
【００２８】
上記構成の作用を簡単に説明する。撮影を行う場合には、先ず、巻き上げノブ１６を正転操作（フイルム巻き上げ方向）する。この操作の際に、逆転防止爪５０の先端部５０ａが歯列１６ａの歯で押されて逆転防止爪５０が弾性変形し、歯の移動に伴って元の位置（歯と歯の間の谷）に復元した際に次の歯に衝突することで不快な音が生じる。しかしながら、位置決め部材３２によって逆転防止爪５０の先端部５０ａが所定の位置に規制され、逆転防止爪５０の先端部５０ａと巻き上げノブ１６の歯列１６ａの各歯との係合量が小さくなっているから、逆転防止爪５０の弾性変形量も少なくなり、かつ逆転防止爪５０の先端部５０ａと次の歯との衝突面積が小さくなる。したがって、逆転防止爪５０の復元時に発生する不快な衝突音が小さくなる。
【００２９】
また、逆転防止爪５０の復元時には逆転防止爪５０は位置決め部材３２のピン３２ｂにも衝突するが、ピン３２ｂには弾性ゴムチューブ３３が被せてあるから、この衝突音は柔らな音質のきわめて小さなものとなる。また、逆転防止爪５０が弾性変形して戻るときに、消音片４１が巻き上げノブ１６の上面１６ｂで摺動するため、逆転防止爪５０の振動が最小限に抑えられ、不快な音がさらに低減される。
【００３０】
フイルム巻き上げ操作によってシャッター機構２５のチャージが行われ、１コマ分の写真フイルム２４ａが移送されると、フイルム巻き止め機構２８が作動して、従動スプロケットの回転が禁止されると同時に、巻き上げノブ１６のフイルム巻き上げ方向への回転操作も禁止される。
【００３１】
撮影を行う場合には、シャッタボタン１５を押下する。これにより、シャッター機構２５が作動して撮影レンズ１４を透過した被写体光がアパーチャにセットされた写真フイルム２４ａに露光される。このシャッター機構２５の作動に連動してフイルム巻き止め機構２８の作動が解除され、従動スプロケットの回転が可能となり、また巻き上げノブ１６のフイルム巻き上げ方向への回転操作が許容される。
【００３２】
その後は、フイルム巻き上げ操作とシャッタレリーズとを繰り返してゆき、そして、写真フイルム２４ａの最終コマを撮影すると、その後は巻き上げノブ１６の空送り操作によって写真フイルム２４ａの全てがパトローネ２４ｂの内部に収納される。この使用済みのフイルムユニット１１は、現像所に提出され、パトローネ収納室３５から写真フイルムパトローネ２４が取り出された後、これに従来どおりの現像及び焼付け処理が施される。そして、ユーザには、プリント写真と現像済み写真フイルムとが返却される。
【００３３】
上記実施形態では、消音片５１を巻き上げノブ１６の上面１６ｂに当接させているが、消音片５１を巻き上げノブ１６に当接させる位置としては、巻き上げノブ１６の上面１６ｂに限ることはない。例えば、図５に示すように、巻き上げノブ１６の下面１６ｃに消音片５１の先端部５１ａを当接させるようにしてもよい。
【００３４】
また、図６及び図７に示すように、本体基部２０に形成された逆転防止爪５０を所定の位置に位置決めする位置決め部材は、後カバー２１の内壁に形成した係合爪６１としてもよい。後カバー２１を本体基部２０に取り付けた後、逆転防止爪５０を例えばロボットアーム等によって図７の矢印方向に変位させ、係合爪６１の先端部６１ａの内側に係合させる。これにより、逆転防止爪５０は巻き上げノブ１６から離れる方向のみへ弾性変形される所定の位置に位置決めされる。なお、逆転防止爪５０の弾性変形を妨げないように、逆転防止爪５０と係合爪６１とのクリアランスＤが確保されている。また、この実施形態では、前記実施形態に用いたような緩衝用の弾性ゴムチューブは省略しているが、先端部６１ａの内側に弾性ゴム板やスポンジ等を貼着するのが好ましい。
【００３５】
また、図８に示す実施形態は、逆転防止爪５０を後カバー２１の内壁に一体に形成するとともに、本体基部２０のパトローネ収納室３５の上壁に位置決め部材としての突起６３を一体形成したものである（Ａ）。そして、この突起６３には、逆転防止爪５０の復元時に逆転防止爪５０が衝突する際の衝突音を緩衝する弾性ゴムチューブ６４が被せられている。後カバー２１を本体基部２０の背面に取り付けると、後カバー２１の逆転防止爪５０は突起６３によって巻き上げノブ１６から離れる方向に押されて変位され、歯列１６ａの歯との係合量が最適な所定の位置に位置決めされる（Ｂ）。
【００３６】
なお、衝突音を緩衝できるものであれば、上記弾性ゴムチューブに代わりに、ビニールチューブでもよく、またスポンジ等でもよい。また、逆転防止爪，消音片及び位置決め部材の各形状は、それぞれの機能を満たすものであれば、図面に示した以外のものでもよいは勿論である。
【００３７】
【発明の効果】
以上説明したように、本発明のレンズ付きフイルムユニットによれば、位置決め部材によって逆転防止爪を組立時に巻き上げノブの中心から離れる方向に変位させて所定の位置に位置決めするようにしたので、逆転防止爪の成形精度をゆるくしても逆転防止爪を正確な所定の位置に位置決めすることができる。これにより、逆転防止爪と巻き上げノブの歯列との係合量を小さくすることが容易にできるとともに、また巻き上げノブの歯列以外の部分に当接される消音片を逆転防止爪と一体に設けて逆転防止爪の振動音を防止したので、巻き上げノブを操作した際に生じる不快な音を低減できる。また、逆転防止爪の成形精度をゆるやかにできるため、逆転防止爪を含む部品の成形が容易にでき、部品成形コストが低減できる。
【００３８】
また、位置決め部材に弾性部材を装着すると、巻き上げノブが正転操作された際に生じる逆転防止爪と位置決め部材との衝突音が軽減する。また、逆転防止爪を本体基部と一体に設けるとともに、位置決め部材を露光機構の一部品と一体に設けると、露光機構の本体基部への取付によって逆転防止爪が所定の位置に位置決めされるから、逆転防止爪の位置決めに別段の工程を設ける必要がなく、組立コストの軽減に寄与できる。また、位置決め部材を所定の位置に係止する係止手段を本体基部に設けると、位置決め部材が逆転防止爪が形成されている本体基部に正確に位置決めされるから、逆転防止爪の所定の位置への位置決めが正確に行なわれる。
【００３９】
また、位置決め部材を後カバーに一体に設けた係合爪としてもよい。また、位置決め部材を本体基部と一体に設けた突起とし、逆転防止爪を後カバーに一体に設けてもよい。この場合には、後カバーを本体基部に装着すると、別段の工程を設けることなく、逆転防止爪は突起によって押圧，変位され、所定の位置に確実に位置決めされる。
【図面の簡単な説明】
【図１】本発明に係る逆転防止爪と規制穴（Ａ），逆転防止爪と位置決め部材との関係（Ｂ）を示す説明図である。
【図２】フイルムユニットの外観を示す斜視図である。
【図３】ユニット本体の分解斜視図である。
【図４】逆転防止爪と位置決め部材と巻き上げノブとの要部を背面側から見た斜視図である。
【図５】消音片を巻き上げノブの下面に当接させた実施形態を示す説明図である。
【図６】位置決め部材として後カバーに形成した係合爪を用いた実施形態を示す説明図である。
【図７】図６に示した実施形態のＶII−ＶII端面図である。
【図８】逆転防止爪を後カバーに、位置決め部材としての突起を本体基部にそれぞれ設けた実施形態を示す説明図である。
【符号の説明】
１１  フイルムユニット
１２  ユニット本体
１６  巻き上げノブ
１６ａ  歯列
２０  本体基部
２１  後カバー
２２  露光ユニット
２３  前カバー
２４  写真フイルムパトローネ
３２  位置決め部材
３３，６４  弾性ゴムチューブ
３５  パトローネ収納室
３５ａ  上壁開口
３５ｂ  規制穴
５０  逆転防止爪
５１  消音片
６１  係合爪
６３  突起
【図１】
0003753258.tif 000002
【図２】
0003753258.tif 000003
【図３】
0003753258.tif 000004
【図４】
0003753258.tif 000005
【図５】
0003753258.tif 000006
【図６】
0003753258.tif 000007
【図７】
0003753258.tif 000008
【図８】
0003753258.tif 000009